(57)【要約】      （修正有）【課題】ディスク状記録媒体の表面を覆う保護シートの取外しや貼り付けを、手作業で行わないで済むようにする。【解決手段】記録面に保護シート２を貼り付けたディスク状媒体１は支持軸７に略一致する位置で停止し、保護シート２は移動板５ａと受け板５ｂの軸方向移動動作により挟み込まれることでディスク状媒体１から引き剥がされる。記録又は再生動作終了後、ディスク状媒体１はターンテーブル４から離れ支持軸７の位置に移動し、保護シート２は移動板５ａと受け板５ｂの軸方向移動動作により再び貼り付けられる。【選択図】  図３
2004241074.tif 000002
【特許請求の範囲】
【請求項１】
ディスク状記録媒体に対し情報の記録、再生のいずれか一方または両方を行う記録再生装置であって、
上記ディスク状記録媒体の表面から保護シートを剥がし、該剥がした保護シートを再び該ディスク状記録媒体の表面に戻すシート除去手段を装置本体内に備えた構成を特徴とする記録再生装置。
【請求項２】
ターンテーブルに装着したディスク状記録媒体を回転させ情報の記録、再生のいずれか一方または両方を行う記録再生装置であって、
ディスク挿抜口から装置内に挿入されたディスク状記録媒体に対し、移動変位により、上記ターンテーブルへの装着に先立ち該ディスク状記録媒体の表面から保護シートを剥がし、上記装着の解除後、ディスク挿抜口から外部への排出に先立ち上記保護シートを該ディスク状記録媒体の表面に戻すシート除去手段を装置本体内に備えた構成を特徴とする記録再生装置。
【請求項３】
上記シート除去手段は、上記保護シートの、上記ディスク状記録媒体の内径より内側の部分または外径よりも外側の部分に対し、移動変位により外力を与え、該保護シートを該媒体表面から剥がし、該剥がした該保護シートをその表面と裏面が互いに接触しない状態で保持する構成を有する請求項１または請求項２に記載の記録再生装置。
【請求項４】
保護シートをディスク状記録媒体の表面に有して成るディスク状記録媒体ユニットであって、
ディスク状記録媒体の内径よりも内側にシート領域を有する保護シートを備えたことを特徴とするディスク状記録媒体ユニット。
【請求項５】
保護シートをディスク状記録媒体の表面に有して成るディスク状記録媒体ユニットであって、
ディスク状記録媒体の外径よりも外側に１８０゜未満の間隔で配された複数個のシート領域を有する保護シートを備えたことを特徴とするディスク状記録媒体ユニット。
【発明の詳細な説明】
【０００１】
【発明の属する技術分野】
本発明は、光ディスク等のディスク状記録媒体及びこれを用いる記録再生装置に関する。
【０００２】
【従来の技術】
本発明に関連する従来技術例としては例えば、特開平１１−５３７６５号公報（特許文献１）、特開２００１−２６６４０７号公報（特許文献２）、特開２０００−１３２８６６号公報（特許文献３）、特開平２００２−８２６８号公報（特許文献４）及び特開平９−２７０１７７号公報（特許文献５）に記載されたものがある。特開平１１−５３７６５号公報には、光情報媒体の表面を多様に利用しかつ汚れや傷等を防止するために光情報媒体のディスク表面に水性インクが定着可能な親水性樹脂製の膜を設ける構成が記載され、特開２００１−２６６４０７号公報には、光情報記録媒体の入光面に傷や汚れがつくことを防止するために、該入光面に、樹脂構造含有重合体から成り可剥正の感受圧接着剤を塗布したフィルムを貼り付ける構成が記載され、特開２０００−１３２８６６号公報には、光ディスクとして、透光性基板の光入射面側に、外周縁の一部が透光性基板の外縁の周面位置まで突出し、他の外周縁部分は透光性基板の外周縁の内側にあるようにしたカバーシートを設ける構成が記載され、特開平２００２−８２６８号公報には、低コストで簡単に光ディスク表面を保護可能な光ディスク表面保護シートとして、透明シートで形成され、内径側に光ディスクの中心孔よりも大きい透孔を有し、外周縁側にはディスク外周縁から突出した突出片を有し、該突出片の根元部にミシン目等の切離部を設けた構成のものが記載され、特開平９−２７０１７７号公報には、光ディスク表面の損傷や汚れ等を防止可能にするために、光ディスク表面に、剥離シートを介して保護シートを貼り付ける技術が記載されている。
【０００３】
【特許文献１】
特開平１１−５３７６５号公報
【特許文献２】
特開２００１−２６６４０７号公報
【特許文献３】
特開２０００−１３２８６６号公報
【特許文献４】
特開平２００２−８２６８号公報
【特許文献５】
特開平９−２７０１７７号公報
【０００４】
【発明が解決しようとする課題】
上記従来技術ではいずれも、例えば記録または再生等のために光ディスクを記録再生装置に装填するときは、装置内への挿入に先立ち予め光ディスクから手作業により保護シートを取外し、また、例えば記録または再生等が終って記録再生装置から該光ディスクを回収するときは、装置内から排出した光ディスクに対して手作業により保護シートを貼り付ける。このため、保護シートの取外しや貼り付けに要求される手作業が煩わしく感じられたり、取外しや貼り付けの際、光ディスクの光入射面を傷めたり汚したりするおそれもある。また、取外した保護シートも、汚したり傷めたりしないように管理する必要もある。
本発明の課題点は、かかる従来技術の状況に鑑み、（１）光ディスク等のディスク状記録媒体の保護シートの取外しや貼り付けを、手作業で行わないで済むようにすること、（２）記録再生装置の外側で保護シートの取外しや貼り付けを行わないで済むようにすること、等である。
本発明の課題点は、かかる課題点を解決できる技術の提供にある。
【０００５】
【課題を解決するための手段】
上記課題点を解決するために、本発明では、基本的に、記録再生装置の内部で、光ディスク等ディスク状記録媒体の保護シートを自動的に取外しまたは貼り付け可能な構成とする。具体的には、（１）記録再生装置として、ディスク状記録媒体の表面から保護シートを剥がし該剥がした保護シートを再び該ディスク状記録媒体の表面に戻すシート除去手段を装置本体内に備える。（２）記録再生装置として、ディスク挿抜口から装置内に挿入されたディスク状記録媒体に対し、移動変位により、ターンテーブルへの装着に先立ち該ディスク状記録媒体の表面から保護シートを剥がし、上記装着の解除後、ディスク挿抜口から外部への排出に先立ち上記保護シートを該ディスク状記録媒体の表面に戻すシート除去手段を装置本体内に備えた構成とする。（３）上記（１）または（２）において、上記シート除去手段として、上記保護シートの、上記ディスク状記録媒体の内径より内側の部分または外径よりも外側の部分に対し、移動変位により外力を与え、該保護シートを該媒体表面から剥がし、該剥がした該保護シートをその表面と裏面が互いに接触しない状態で保持する構成を有するものとする。（４）保護シートをディスク状記録媒体の表面に有するディスク状記録媒体ユニットとして、ディスク状記録媒体の内径よりも内側にシート領域を有する保護シートを表面に備えた構成とする。（５）ディスク状記録媒体ユニットとして、ディスク状記録媒体の外径よりも外側に１８０゜未満の間隔で配された複数個のシート領域を有する保護シートを表面に備えた構成とする。
【０００６】
【発明の実施の形態】
以下、本発明の実施例につき、図面を用いて説明する。
図１〜図３は、本発明の第１の実施例の説明図である。図１はディスク状記録媒体ユニットの構成例図、図２は記録再生装置の構成例図、図３は図２の記録再生装置の動作説明図である。
本第１の実施例は、記録再生装置内においてディスク状記録媒体ユニットの保護シートの内周側領域部に外力を加え、該保護シートをディスク状記録媒体から剥がすようにした場合の例である。
図１において、（ａ）はディスク状記録媒体の表面に該ディスク状記録媒体を保護する可撓性の保護シートを貼り付けたディスク状記録媒体ユニットの外観図、（ｂ）は、ディスク状記録媒体ユニットの保護シート面側の平面図である。図１において、１００はディスク状記録媒体ユニット、１はディスク状記録媒体、２は保護シート、２ａは保護シートの内周側領域部である。保護シートの内周側領域部２ａは、ディスク状記録媒体１の内径より内側に突出し複数に分割された部分から構成される。該内周側領域部２ａは、該分割された部分が個々に変位することで、該保護シートの内径Ｄｉよりも径の大きい部材が通過できる構造になっている。
【０００７】
図２は、図１のディスク状記録媒体ユニットが挿入される記録再生装置の構成例図で、（ａ）は平面図、（ｂ）は側面図である。
図２において、１００はディスク状記録媒体ユニット、１はディスク状記録媒体、２は保護シート、２ａは保護シートの内周側領域部、３は装置筐体、４はディスク状記録媒体１が装填されるターンテーブル、１６はターンテーブル４を回転させるスピンドルモータ、５ａは、移動変位により保護シート２をディスク状記録媒体１の面から引き剥がすための移動板、５ｂは、移動板５ａとともに保護シート２をはさむための受け板、６ａ、６ｂは、引き剥がされた保護シート２の面を保持するための側板、７は、移動板５ａと受け板５ｂを支持する支持軸、８は、ディスク状記録媒体ユニット１００を外部から装置筐体３の内部に挿入したり、内部から外部に排出したりするディスク挿抜口、２０は移動板５ａと受け板５ｂを移動変位させる駆動部である。移動板５ａ、受け板５ｂ、支持軸７及び駆動部２０はシート除去手段を形成する。移動板５ａの外径は、保護シートの内径よりも大きくディスク状記録媒体１の内径よりも小さくされ、受け板５ｂの外径は、保護シートの内径よりも大きくディスク状記録媒体１の内径よりも大きくされている。該移動板５ａ及び該受け板５ｂは駆動部２０により駆動されることで、支持軸７の長手方向に対し移動可能な構成を有する。側板６ａ、６ｂは、互いにディスク状記録媒体１の外径よりも短い距離を隔てかつ支持軸７に対し略対称の位置に、それぞれ傾斜した姿勢で配される。
【０００８】
図３は図２の記録再生装置の動作説明図で、ディスク状記録媒体ユニット１００が装置筐体３内に挿入されてから、保護シート２を剥離され、ディスク状記録媒体１がターンテーブル４に装填されるまでの動作を示す。
図３において、
（１）ディスク状記録媒体ユニット１００は、ディスク挿抜口８から装置筐体３内に挿入されて移動し、中心位置が支持軸７に略一致する位置で停止する。該停止した状態で、移動板５ａと受け板５ｂが図の下方側から上方側に支持軸７上を移動変位し、移動板５ａは保護シート２の内周側領域部２ａを貫通してディスク状記録媒体１の内径領域９側に移動し、受け板５ｂは保護シート２の下方にとどまる（図３（ａ））。
（２）内径領域９側に移動した移動板５ａは支持軸７上を図の下方側に移動変位し、受け板５ｂの上面との間に保護シート２の内周側領域部２ａをはさみ込む（図３（ｂ））。
（３）移動板５ａ及び受け板５ｂは、保護シート２の内周側領域部２ａをはさみ込んだ状態のまま支持軸７上をさらに図の下方側に移動変位する。該移動変位により、保護シート２はディスク状記録媒体１の面から引き剥がされる。引き剥がされた保護シート２は一部の面が側板６ａ、６ｂの面の押付けられる。このため、該保護シート２は、曲がった状態でディスク貼り付け面をディスク状記録媒体１側に向けたまま、側板６ａ、６ｂに支持される。（図３（ｃ））。
（４）保護シート２を剥がされたディスク状記録媒体１は、さらに装置筐体３内を移動してターンテーブル４に装填される（図３（ｄ））。
記録または再生動作が終了すると、ディスク状記録媒体１は、ターンテーブル４への装填位置から離れ、支持軸７側に移動して、再び中心位置が支持軸７に略一致する位置で停止する。該停止した状態で、移動板５ａと受け板５ｂが、保護シート２をはさんだまま図の下方側から上方側に支持軸７上を移動変位し、保護シート２をディスク状記録媒体１の面に再び貼り付ける。その後、移動板５ａはさらに図の上方側に移動変位し、保護シート２の内周側領域部２ａを貫通してディスク状記録媒体１の内径領域９側に移動することで、保護シート２のはさみ込みを解く。はさみ込みを解いた移動板５ａは再び保護シート２の内周側領域部２ａを貫通し、受け板５ｂとともに支持軸７上を図の下方に移動変位する。一方、保護シート２を貼り付けられたディスク状記録媒体１は、ディスク状記録媒体ユニット１００としてディスク挿抜口８側に移動し該ディスク挿抜口８から装置筐体３の外部に排出される。
【０００９】
上記第１の実施例によれば、装置筐体３内で自動的にかつ確実に保護シート２をディスク状記録媒体１の面から剥がすことができる。剥がした保護シート２も、ディスク貼り付け面がその反対側の面と接することがない状態で保持できるため、該反対側の面のごみや汚れがディスク貼り付け面側に転写されることもない。この結果、従来技術で起き易かった光ディスクの光入射面の損傷や汚れを防止することができる。
【００１０】
図４及び図５は、本発明の第２の実施例の説明図である。図４はディスク状記録媒体ユニットの構成例図、図５は記録再生装置の構成とその動作の説明図である。
本第２の実施例は、記録再生装置内において、ディスク状記録媒体ユニットの保護シートの外周側領域部に外力を加え、該保護シートをディスク状記録媒体から剥がすようにした場合の例である。
図４において、（ａ）はディスク状記録媒体の表面に該ディスク状記録媒体を保護する可撓性の保護シートを貼り付けたディスク状記録媒体ユニットの外観図、（ｂ）は、ディスク状記録媒体ユニットの保護シート面側の平面図である。図４において、１００’はディスク状記録媒体ユニット、１はディスク状記録媒体、２’は保護シート、２’ｂ１、２’ｂ２、２’ｂ３は保護シート２’の外周側に設けられた外周側領域部である。該外周側領域部２’ｂ１、２’ｂ２、２’ｂ３は、ディスク状記録媒体１の外径より外側に突出し略１２０゜の間隔で設けられている。
【００１１】
図５は、上記図４のディスク状記録媒体ユニット１００’が挿入される記録再生装置の構成例と動作の説明図である。
図５において、１００’はディスク状記録媒体ユニット、１はディスク状記録媒体、２’は保護シート、３’は装置筐体、４は、ディスク状記録媒体１が装填されるターンテーブル、１６はターンテーブル４を回転させるスピンドルモータ、１０、１１は、保護シート２’をディスク状記録媒体１から引き剥がして移動させるローラ、１５は、引き剥がされた保護シート２’を案内するガイド部、８はディスク挿抜口である。ローラ１０、１１はシート除去手段を形成する。装置筐体３’内で、ディスク状記録媒体ユニット１００’は、移動状態においてローラ１０、１１により保護シート２’を引き剥がされる。
【００１２】
かかる構成において、
（１）ディスク状記録媒体ユニット１００’は、ディスク挿抜口８から装置筐体３’内に挿入されて移動し、保護シート２’の外周側領域部２’ｂ１がローラ１０にかかると、該ローラ１０が回転により該外周側領域部２’ｂ１を巻き込みながら図の下方に移動変位する（図５（ａ））。
（２）該ローラ１０は下方に移動変位して、ローラ１１との間に該外周側領域部２’ｂ１をはさみ込む。該ローラ１０、１１は該外周側領域部２’ｂ１をはさみ込んだ状態で互いに反対方向に回転し、保護シート２’をディスク状記録媒体１の面から引き剥がしながらガイド部１５に沿い移動させる（図５（ｂ））。ローラ１０、１１が保護シート２’を引き剥がしながら移動させる速度と、ディスク状記録媒体１がターンテーブル４側に移動する速度は略等しくされている。
（３）ローラ１０、１１が保護シート２’の引き剥がしを終了した後、ディスク状記録媒体１がターンテーブル４の位置に到達しターンテーブル４に装填される（図５（ｃ））。該装填状態でスピンドルモータ１６によりターンテーブル４が回転され、ディスク状記録媒体１に対し記録または再生が行われる。
記録または再生動作が終了すると、ディスク状記録媒体１は、ターンテーブル４への装填位置から離れ、ローラ１０、１１の上方部側に移動する。一方、ローラ１０、１１は、上記保護シート２’を引き剥がす場合とは逆の方向に回転し、はさみ込んだ保護シート２’をガイド部１５に沿って引戻す。引戻された保護シート２’は、ターンテーブル４側から移動して来たディスク状記録媒体１の面に再び貼り付けられる。保護シート２’を貼り付けられたディスク状記録媒体１は、ディスク状記録媒体ユニット１００’としてディスク挿抜口８側に移動し該ディスク挿抜口８から装置筐体３’の外部に排出される。
【００１３】
上記第２の実施例によっても、装置筐体３’内で自動的にかつ確実に保護シート２’をディスク状記録媒体１の面から剥がすことができる。また、剥がした保護シート２’も、ディスク貼り付け面がその反対側の面と接することがないようにできるため、該反対側の面のごみや汚れがディスク貼り付け面側に転写されることもなく、ディスク面を汚すおそれもない。この結果、光ディスクの光入射面を傷めたり汚したりすることを防止することができる。
【００１４】
図６及び図７は、本発明の第３の実施例の説明図である。図６は記録再生装置の構成例図、図７はその動作説明図である。
本第３の実施例も、記録再生装置内において、上記第２の実施例と同様、ディスク状記録媒体ユニットの保護シートの外周側領域部に外力を加え、該保護シートをディスク状記録媒体から剥がすようにした場合の例である。
図６（ａ）は記録再生装置の平面図、同（ｂ）は側面図である。ディスク状記録媒体ユニットとしては上記図４と同様のものを用いるものとして説明する。図６において、１００’はディスク状記録媒体ユニット、１はディスク状記録媒体、２’は保護シート、３’’は装置筐体、４は、ディスク状記録媒体１が装填されるターンテーブル、１６はターンテーブル４を回転させるスピンドルモータ、１２は、回転により保護シート２’をディスク状記録媒体１から引き剥がしながら巻き取るためのローラ、１３は、ローラ１２の外周部に取付けられ保護シート２’の外周側領域部２’ｂ１を最初にディスク状記録媒体１から引き剥がすための引き剥がし部材、８はディスク挿抜口である。ローラ１２、引き剥がし部材１３はシート除去手段を形成する。本第３の実施例の場合も、ディスク状記録媒体ユニット１００’は、装置筐体３’’内で移動状態においてローラ１２、引き剥がし部材１３により保護シート２’を引き剥がされる。引き剥がし部材１３は、保護シート２’の外周側領域部２’ｂ１の位置がディスク挿入方向からずれた状態でディスク状記録媒体ユニット１００’が挿入された場合にも確実に外周側領域部２’ｂ１を捕捉できるようにディスク状記録媒体１の外周縁に沿って伸びた構成にされている。ディスク状記録媒体ユニット１００’が装置筐体３’’内で移動してローラ１２に近づき、引き剥がし部材１３が保護シート２’の外周側領域部２’ｂ１に係合する位置では、該ローラ１２は図の下方側に移動変位するようになっている。
【００１５】
図７は、図６の記録再生装置の動作説明図である。
図７において、
（１）ディスク状記録媒体ユニット１００’がディスク挿抜口８から装置筐体３’’内に挿入されて移動し、保護シート２’の外周側領域部２’ｂ１が引き剥がし部材１３に係合すると、ローラ１２は図の下方側に移動変位する。該移動変位により引き剥がし部材１３も移動変位して保護シート２’の外周側領域部２’ｂ１に対し保護シート２’を引き剥がす方向の外力を与える。このとき、該ローラ１２は図の下方側へ移動変位しながら回転し、引き剥がした保護シート２’を該回転力で巻き取る（図７（ａ））。ローラ１２が保護シート２’を引き剥がしながら巻き取る速度と、ディスク状記録媒体１がターンテーブル４側に移動する速度は略等しくされている。この条件下で保護シート２’は、その表裏面が接触しないように緩くした状態でローラ１２の周囲に巻かれる。
（２）ローラ１２が保護シート２’の引き剥がしを終了した後、ディスク状記録媒体１がターンテーブル４の位置に到達しターンテーブル４に装填される（図７（ｂ））。該装填状態で、スピンドルモータ１６によりターンテーブル４が回転され、ディスク状記録媒体１に対し記録または再生が行われる。
（３）記録または再生動作が終了すると、ディスク状記録媒体１は、ターンテーブル４の装填位置から離れ、ローラ１２の上方部側に移動する。一方、ローラ１２は、図の上方側に移動し、所定位置で、上記保護シート２’を引き剥がす場合とは逆の方向に回転して、ディスク状記録媒体１の面に対し該保護シート２’が引き剥がし前とほぼ同じ状態で貼り付くようにする（図７（ｃ））。
保護シート２’を貼り付けられたディスク状記録媒体１は、ディスク状記録媒体ユニット１００’としてディスク挿抜口８側に移動し該ディスク挿抜口８から装置筐体３’’の外部に排出される。
【００１６】
上記第３の実施例によっても、装置筐体３’’内で自動的にかつ確実に保護シート２’をディスク状記録媒体１の面から剥がすことができる。この結果、従来技術で起き易かった光ディスクなどディスク状記録媒体の光入射面の損傷や汚れを確実に防止することが可能となる。
【００１７】
なお、上記第３の実施例では、ローラ１２で巻き取る保護シート２’を緩く巻くことでその表裏面が互いに接触しないようにしたが、これに限定されることなく、例えば、ローラ１２で巻き取る際、保護シート２’の表裏面間に他のシートをはさむなど他の手段を用いて表裏面が互いに接触しないようにしてもよい。また、上記第２、第３の実施例で用いたディスク状記録媒体ユニット１００’の保護シート２’は、３個の突出した外周側領域部２’ｂ１、２’ｂ２、２’ｂ３を略１２０゜の間隔で有する構成としたが、本発明ではこれにも限定されず、ディスク状記録媒体１の外径よりも外側に１８０゜未満の間隔で配された複数個のシート領域を有するものであれば、３個の突出した構成や略等間隔配置の構成でなくともよい。
【００１８】
さらに、上記各実施例は、保護シートを表面に備えたディスク状記録媒体ユニットを用いる場合につき説明したが、保護シートを表面に備えないディスク状記録媒体を用いて記録または再生を行うことも可能である。
【００１９】
【発明の効果】
本発明によれば、ディスク状記録媒体の光入射面の損傷や汚れを確実に防止することができる。
【図面の簡単な説明】
【図１】本発明に係るディスク状記録媒体ユニットの構成例図である。
【図２】本発明の記録再生装置の第１の実施例を示す図である。
【図３】第１の実施例の動作説明図である。
【図４】本発明に係るディスク状記録媒体ユニットの他の構成例図である。
【図５】本発明の記録再生装置の第２の実施例を示す図である。
【図６】本発明の記録再生装置の第３の実施例を示す図である。
【図７】第３の実施例の動作説明図である。
【符号の説明】
１…ディスク状記録媒体、  ２、２’…保護シート、  ２ａ…保護シートの内周側領域部、  ２’ｂ１、２’ｂ２、２’ｂ３…保護シートの外周側領域部、  ３、３’、３’’…装置筐体、  ４…ターンテーブル、  ５ａ…移動板、  ５ｂ…受け板、  ６ａ、６ｂ…側板、  ７…支持軸、  ８…ディスク挿抜口、  ９…内径領域、  １０、１１、１２…ローラ、  １３…シート引掛け部材、  １５…案内部材、  １６…スピンドルモータ、２０…駆動部、  １００、１００’…ディスク状記録媒体ユニット。
【図１】
2004241074.tif 000003
【図２】
2004241074.tif 000004
【図３】
2004241074.tif 000005
【図４】
2004241074.tif 000006
【図５】
2004241074.tif 000007
【図６】
2004241074.tif 000008
【図７】
2004241074.tif 000009